(57)【要約】      （修正有）【課題】輝線の発生を防止しつつ、プリズムシートのシート削れを防止することが可能な技術を提供する。【解決手段】プリズムの形成面がバックライト光の出射面側となる第１のプリズムシートＰＳ１と、第１のプリズムシートＰＳ１の裏面と当接して配置される第２のプリズムシートＰＳ２とを有するバックライト装置を備える液晶表示装置であって、第１のプリズムシートＰＳ１は外周方向に突出し、遮光テープに固定される少なくとも２つの第１の突起部ＴＢ１を有し、第１の突出部ＴＢ１は、光源に近い辺が含まれない対辺にそれぞれ形成され、かつ、その対辺のうちで、プリズムの形成方向と直交する方向の対角の近傍に形成され、第２のプリズムシートＰＳ２は光源に近い辺を共有する２つの角部近傍にそれぞれ形成され、光源側に突出する第２の突起部ＴＢ２を有し、第２の突起部ＴＢ２が遮光テープに固定されてなる。【選択図】図２
2014002254.tif 000002
【特許請求の範囲】
【請求項１】
液晶層を介して対向配置される一対の透明基板を有してなる液晶表示パネルと、該液晶表示パネルの裏面側に配置されバックライト光を照射するバックライト装置とを備え、
前記バックライト装置は、光源と、前記光源からの光を面状光に変換する導光板と、前記導光板の前面に配置され、一方の面に複数のプリズムが並設されてなる少なくとも２枚のプリズムシートとを有し、  
前記２枚のプリズムシートの内で、前記バックライト光の出射側に配置される第１のプリズムシートは、前記プリズムの形成面が前記バックライト光の出射面側となるように配置されると共に、その裏面側がマット状に加工されており、
第２のプリズムシートは、前記第１のプリズムシートの裏面側に配置されると共に、前記プリズムの形成面が前記第１のプリズムシートのマット加工される面と当接して配置される液晶表示装置であって、
前記第１のプリズムシートは外周方向に突出し、前記遮光テープに固定される少なくとも２つの第１の突起部を有し、
前記第１の突出部は、前記光源に近い辺が含まれない対辺にそれぞれ形成され、かつ、その対辺内のうちで、前記プリズムの形成方向と直交する方向の対角の近傍に形成され、
前記第２のプリズムシートは前記光源に近い辺を共有する２つの角部近傍にそれぞれ形成され、前記光源側に突出する第２の突起部を有し、
前記第２の突起部が前記遮光テープに固定されてなることを特徴とする液晶表示装置。
【請求項２】
前記第１及び第２のプリズムシートは前記プリズムの形成方向が辺部の延在方向に対して傾斜して形成され、
前記第１のプリズムシートと前記第２のプリズムシートとの前記プリズムの形成方向が直交するように配置されることを特徴とする請求項１に記載の液晶表示装置。
【請求項３】
前記導光板と前記第２のプリズムシートとの間に配置され、前記導光板から出射される面状光を拡散させる拡散シートを備え、
前記拡散シートは前記光源に近い辺に形成され、前記第１のプリズムシートよりも前記光源側に突出して延在する延在部を有し、
前記第２の突起部の突出量と前記延在部の延在量とが略同一であり、
前記第２の突出部が形成される第２のプリズムシートの辺部の内で、当該第２の突起部の形成部分を除く他の辺縁部が、前記拡散シートの辺縁部よりも後退して配置されることを特徴とする請求項２に記載の液晶表示装置。
【請求項４】
前記第２の突出部は、前記拡散シートに形成される前記延在部と略同一形状に形成される領域の内で、角部に近い領域を残し、他の領域を削除した形状であることを特徴とする請求項３に記載の液晶表示装置。
【請求項５】
前記第２の突出部は、前記遮光テープの遮光領域と重畳する領域内に形成されることを特徴とする請求項１乃至４の内の何れかに記載の液晶表示装置。
【請求項６】
前記第１及び第２のプリズムシートは、前記第１及び第２の突起部を除く領域が矩形状に形成され、
前記第１の突起部が形成される辺と前記第２の突起部が形成される辺とが、前記第２の突出部が形成される角部を共有する辺であることを特徴とする請求項１乃至５の内の何れかに記載の液晶表示装置。
【請求項７】
少なくとも前記一対の第２の突起部との間の領域に形成され、前記導光板から出射される光を遮蔽する遮蔽体を備えることを特徴とする請求項１乃至６の内の何れかに記載の液晶表示装置。
【請求項８】
前記遮蔽体は、前記拡散シートの延在部の出射面側に配置される反射部材からなることを特徴とする請求項７に記載の液晶表示装置。
【請求項９】
前記遮蔽体は前記導光板の出射面側に印刷される印刷体からなり、前記拡散シートと近接して形成されることを特徴とする請求項７に記載の液晶表示装置。
【請求項１０】
前記印刷体は、白色であることを特徴とする請求項９に記載の液晶表示装置。
【発明の詳細な説明】
【技術分野】
【０００１】
本発明は、液晶表示装置に係わり、特に、液晶表示パネルの裏面側に配置され、面状のバックライト光を照射するバックライト装置に関する。
【背景技術】
【０００２】
近年、限られた大きさの筐体で表示領域を大きく形成するために、表示領域の周辺部分である額縁領域の幅を小さくすることが切望されている。特に、液晶表示装置では、透過光を変調する液晶表示パネルと、該液晶表示パネルの裏面側に配置されており面状の光（バックライト光，面状光）を照射するバックライト装置とから構成されており、液晶表示パネルの挟額縁化の進展に伴い、バックライト装置においても、バックライト光を照射する照射領域の周辺領域（以下、この領域も額縁領域と記す）の幅を小さくすることも要望されている。このために、サイドライト方式のバックライト装置においても、光源が配置される側の額縁領域幅も小さく、光源から照射領域の端部までの距離も大幅に小さく形成される構成となっている。
【０００３】
このサイドライト方式のバックライト装置では、辺部に光源を配置すると共に、光源からの光を面状光に変換する導光板を有しており、この導光板の上面に拡散シートやプリズムシート等からなる光学シートが配置され、導光板から照射される面状光の輝度ムラ等を抑制する構成となっている。
【０００４】
しかしながら、光源からプリズムシートに光が直接入射した場合や導光板からプリズムシートに光が直接入射した場合、これらの光はプリズム表面で反射される等によって、直接にバックライト光として照射されてしまうこととなる。このため、プリズムでの反射光等が照射される部分では、他のバックライト光が照射される領域よりも輝度が高い線状の模様（輝線）が生じることとなり、バックライト光の輝度ムラが非常に大きくなってしまい、画像表示時の表示ムラが生じてしまうという問題がある。
【０００５】
この問題を解決する方法として、例えば、特許文献１に記載の液晶用面状光源装置がある。この特許文献１に記載の液晶用面状光源装置では、光源が配置される側の端辺（端面）に凹凸を形成することによって、プリズムシートに入射する光を低減させる構成となっている。
【先行技術文献】
【特許文献】
【０００６】
【特許文献１】特開２０１１−１００５５０号公報
【発明の概要】
【発明が解決しようとする課題】
【０００７】
表示輝度をさらに向上させた液晶表示装置として、バックライト装置に２枚のプリズムシートを用いると共に、一方のプリズムシートの裏面側すなわちプリズムの形成されない側の面にマット状の加工を行ったプリズムシートを用いたサイドライト方式の液晶表示装置がある。この液晶表示装置が備えるバックライト装置では、導光板の上面側に拡散シートが配置され、該拡散シートの上面に２枚のプリズムシートが配置される構成となっている。このとき、２枚のプリズムシートの内で、拡散シートに近い側に配置されるプリズムシート（以下、下プリズムシートと記す）は通常のプリズムシートであり、拡散シートから遠い側すなわち通常のプリズムシートの上面に配置されるプリズムシート（以下、上プリズムシートと記す）は、裏面側がマット加工されたプリズムシートとなっている。この構成により、下プリズムシートから出射された面状光を効率よく上プリズムシートに入射させ、さらなる輝度向上を可能としている。
【０００８】
しかしながら、マット加工では表面に微小な凹凸を複数形成する構成となっているので、マット加工されない下プリズムシートの裏面よりもシート削れ等に起因する傷付きが生じやすいという問題がある。このため、液晶表示装置に振動が加わった場合、下プリズムシートのプリズム形成面と上プリズムシートのマット加工面とが擦れ合い、上プリズムシートのマット加工面にシート削れが生じ、バックライト光に輝度ムラが生じてしまうという問題があった。
【０００９】
この問題を解決する方法として、上プリズムシートの上面に配置される遮光テープに、上プリズムシート及び下プリズムシートを固定することが考えられるが、この場合、上プリズムシートよりも下プリズムシートが大きく形成する必要がある。このため、下プリズムシートの端部から容易に光が入射してしまい、輝線が生じてしまうという問題がある。
【００１０】
本発明はこれらの問題点に鑑みてなされたものであり、本発明の目的は、輝線の発生を防止しつつ、プリズムシートのシート削れを防止することが可能な技術を提供することにある。
【課題を解決するための手段】
【００１１】
前記課題を解決すべく、本願発明の液晶表示装置は、液晶層を介して対向配置される一対の透明基板を有してなる液晶表示パネルと、該液晶表示パネルの裏面側に配置されバックライト光を照射するバックライト装置とを備え、
前記バックライト装置は、光源と、前記光源からの光を面状光に変換する導光板と、前記導光板の前面に配置され、一方の面に複数のプリズムが並設されてなる少なくとも２枚のプリズムシートとを有し、  
前記２枚のプリズムシートの内で、前記バックライト光の出射側に配置される第１のプリズムシートは、前記プリズムの形成面が前記バックライト光の出射面側となるように配置されると共に、その裏面側がマット状に加工されており、
第２のプリズムシートは、前記第１のプリズムシートの裏面側に配置されると共に、前記プリズムの形成面が前記第１のプリズムシートのマット加工される面と当接して配置される液晶表示装置であって、
前記第１のプリズムシートは外周方向に突出し、前記遮光テープに固定される少なくとも２つの第１の突起部を有し、
前記第１の突出部は、前記光源に近い辺が含まれない対辺にそれぞれ形成され、かつ、その対辺内のうちで、前記プリズムの形成方向と直交する方向の対角の近傍に形成され、
前記第２のプリズムシートは前記光源に近い辺を共有する２つの角部近傍にそれぞれ形成され、前記光源側に突出する第２の突起部を有し、
前記第２の突起部が前記遮光テープに固定されてなる液晶表示装置である。
【発明の効果】
【００１２】
本発明によれば、輝線の発生を防止しつつ、プリズムシートのシート削れを防止することができる。
【００１３】
本発明のその他の効果については、明細書全体の記載から明らかにされる。
【図面の簡単な説明】
【００１４】
【図１】本発明の実施形態１の液晶表示装置におけるバックライト装置の全体構成を説明するための図である。
【図２】本発明の実施形態１の液晶表示装置におけるバックライト装置が備える下プリズムシートの概略構成を説明するための図である。
【図３】図１に示すＡ−Ａ’線での断面図である。
【図４】本発明の実施形態１のバックライト装置を構成する各光学シートを説明するための図である。
【図５】本発明の実施形態１のバックライト装置における下プリズムシートの短辺側の詳細構成を説明するための図である。
【図６】本発明の実施形態１のバックライト装置における下プリズムシートの突起部の形成手順を説明するための図である。
【図７】本発明の実施形態１のバックライト装置における光学シートの上面図である。
【図８】本発明の実施形態４の液晶表示装置の詳細構成を説明するための断面図である。
【図９】本発明の実施形態２の液晶表示装置におけるバックライト装置の詳細構成を説明するための断面図である。
【図１０】本発明の実施形態３の液晶表示装置におけるバックライト装置の詳細構成を説明するための断面図である。
【図１１】従来のバックライト装置における輝線の発生を説明するための図である。
【発明を実施するための形態】
【００１５】
以下、本発明が適用された実施形態について、図面を用いて説明する。ただし、以下の説明において、同一構成要素には同一符号を付し繰り返しの説明は省略する。
【００１６】
〈実施形態１〉
図１は本発明の実施形態１の液晶表示装置おけるバックライト装置の全体構成を説明するための図であり、特に、図１（ａ）は実施形態１のバックライト装置の上面図であり、図１（ｂ）は側面図である。以下、図１（ａ），（ｂ）に基づいて、実施形態１の液晶表示装置を構成するバックライト装置ＢＬＵの全体構成を説明する。
【００１７】
図１（ａ）に示すように、実施形態１のバックライト装置ＢＬＵは、照射面（出射面）側の最前面にバックライト光の照射範囲に対応する開口部ＯＰを備える遮光テープＯＳが配置される構成となっている。この実施形態１の遮光テープＯＳでは、後に詳述するように、裏面側にプリズムシートが固定される構成となっている。また、実施形態１のバックライト装置ＢＬＵは、一方の面が側壁面に沿って開放される箱体状の下フレーム（下フレーム部材）ＬＦ内に、図示しない光源、該光源からの光を面状の光に変換する導光板、及び該導光板の照射面側に配置され、導光板からの面状光を均一のバックライト光とする複数の光学シート等を備える、サイドライト方式のバックライト装置である。また、実施形態１のバックライト装置ＢＬＵでは、図示しない光源が図１（ａ），（ｂ）中左側の短辺側に配置されており、図１（ａ），（ｂ）中左側の短辺部分から引き出されるフレキシブル配線基板ＦＰＣを介して光源に電源が供給される構成となっている。特に、実施形態１のバックライト装置ＢＬＵでは、図１（ａ），（ｂ）中左側の短辺部分に光源が配置される構成となっている。
【００１８】
また、実施形態１のバックライト装置ＢＬＵでは、遮光テープＯＳの開口部ＯＰからは光学シートを形成する上プリズムシート（第１のプリズムシート）が露出される構成となっている。実施形態１のバックライト装置ＢＬＵにおいては、後に詳述するように、実施形態１の光学シートは拡散シート、下プリズムシート（第２のプリズムシート）、及び上プリズムシートで形成されており、上プリズムシートが遮光テープＯＳの最も近くすなわちバックライト光の照射面側に配置される構成となっている。
【００１９】
図２は本発明の実施形態１の液晶表示装置におけるバックライト装置が備えるプリズムシートの概略構成を説明するための図であり、特に、図２（ａ）は上プリズムシートＰＳ１の構成を説明するための平面図であり、図２（ｂ）は下プリズムシートＰＳ２の構成を説明するための平面図である。
【００２０】
図２（ａ），（ｂ）に示すように、実施形態１のバックライト装置ＢＬＵでは、従来の上プリズムシートＰＳ１及び下プリズムシートＰＳ２と同様に、矩形状に形成される短辺及び長辺に対して、所定の形成角で交差するようにしてプリズムの形成方向（図２（ａ），（ｂ）中に矢印Ｓ１，Ｓ２で示す方向であり、以下、プリズム角度と記す）が傾斜するように形成されている。このとき、上プリズムシートＰＳ１のプリズムの形成方向Ｓ１と下プリズムシートＰＳ２のプリズムの形成方向Ｓ２とは、直交するように形成されている。この構成により、１枚のプリズムシートを用いる場合よりも、バックライト光の輝度を向上させる構成となっている。
【００２１】
すなわち、実施形態１の上プリズムシートＰＳ１及び下プリズムシートＰＳ２は、プリズムシートと同様に、対向する長辺部分にそれぞれ一対の突起部ＴＢ１，ＴＢ２が形成されている。このとき、図２（ａ）に示すように、上プリズムシートＰＳ１では、プリズム角度Ｓ１との交差角度が大きくなる対角の近傍すなわち角部ＣＮ２，ＣＮ４の近傍に一対の突起部ＴＢ１が形成されている。また、図２（ｂ）に示すように、下プリズムシートＰＳ２では、プリズム角度Ｓ２との交差角度が小さくなる（又は同じとなる）対角の近傍すなわち角部ＣＮ２，ＣＮ４の近傍に一対の突起部ＴＢ１が形成されている。
【００２２】
この構成により、後に詳述するように、上プリズムシートＰＳ１及び下プリズムシートＰＳ２の熱膨張に起因する変形に伴う輝度ムラに対する影響を大幅に低減させる構成としている。すなわち、実施形態１の上プリズムシートＰＳ１での熱膨張に起因する変形は、プリズム角度Ｓ１との交差角度が小さくなる（又は同じとなる）対角の近傍すなわち角部ＣＮ１，ＣＮ３において、大きくＺ方向に反るような変形となる。従って、実施形態１の上プリズムシートＰＳ１においては、熱膨張に起因する上プリズムシートＰＳ１の反りが小さい角部ＣＮ２，ＣＮ４の近傍に一対の突起部ＴＢ１を形成し、後述する遮光テープに固定する構成としている。
【００２３】
また、実施形態１の下プリズムシートＰＳ２は、対向する短辺の内で、図２（ｂ）中の下端側の短辺に、外側に突出する２つの突出部ＨＰが形成されている。特に、一対の突出部ＨＰは、後に詳述するように、各角部の近傍に形成される構成となっている。
【００２４】
さらには、下プリズムシートＰＳ２の図示しない遮光テープへの固定では、下プリズムシートＰＳ２の長辺側に形成される突出部ＴＢ２による固定も考えられる。しかしながら、図２（ｂ）に示すように、下プリズムシートＰＳ２におけるプリズムＰＲＺの形成方向は、熱収縮に伴うプリズムシート反りが生じた場合に、変形量が大きくなる角部に突出部ＴＢ２が形成されている。このために、突起部ＴＢ２を図示しない遮光テープに固定した場合、プリズムシート反りに伴って突起部ＴＢ２の近傍にしわ等が生じ、バックライト光に輝度ムラが生じてしまうこととなる。従って、実施形態１の突起部ＴＢ２は図示しない遮光テープに固定しない構成としている。
【００２５】
図３は図１に示すＡ−Ａ’線での断面図であり、図３に示すように、実施形態１のバックライト装置は、下フレームＬＦと中フレームで筐体が形成され、この筐体内に反射シートＲＳ、導光板ＬＧ、拡散シートＤＦ、下プリズムシートＰＳ２、上プリズムシートＰＳ１、及び遮光テープＯＳを順に備える構成となっている。また、導光板ＬＧの側面には光源ＬＳが配置され、サイドライト方式のバックライト装置が構成されている。下フレームＬＦは、一方の面が側壁面に沿って開口される箱体状のフレーム部材である。また、中フレームＭＦは下フレームＬＦの側壁面に沿って形成され、導光板ＬＧの側壁面と下フレームＬＦの内壁面との間に配置される枠体状のフレーム部材である。導光板ＬＧは、光源ＬＳから出射（照射）される光を平面状の光に変換する周知の光学部材である。この導光板ＬＧから出射される面状光の照射面側に拡散シートＤＦ、下プリズムシートＰＳ２、及び上プリズムシートＰＳ１がこの順に配置され、導光板ＬＧの裏面側に反射シートＲＳが配置されている。
【００２６】
また、上プリズムシートＰＳ１の上面（照射面）側には、例えば基材表面に遮光部材が形成されると共に、バックライト光の照射形状に対応した開口部を有する枠体形状の遮光テープＯＳが配置されている。該遮光テープＯＳは、後に詳述するように、バックライト光の照射領域に沿って開口部が形成される枠体状（額縁状）に形状されおり、外側の周縁部（外縁部）は中フレームＭＦに到達し、内側の周縁部はプリズムシートＰＳ１，ＰＳ２の周縁部を覆う構成となっている。また、遮光テープＯＳの裏面側すなわち上プリズムシートＰＳ１の側には、図示しない粘着材が塗布されており、該粘着材で当該遮光テープＯＳが中フレームＭＦに固定されると共に、下プリズムシートＰＳ２及び上プリズムシートＰＳ１が遮光テープＯＳに固定されている。
【００２７】
また、実施形態１のバックライト装置では、光源ＬＳに電源を供給するフレキシブル配線基板ＦＰＣが、遮光テープＯＳの裏面側すなわち遮光テープＯＳと中フレームＭＦとの間の領域に配置される構成となっている。このとき、フレキシブル配線基板ＦＰＣは粘着材ＦＴにより、中フレームＭＦ側の端部が中フレームＭＦ、導光板ＬＧ側の端部が導光板ＬＧにそれぞれ固定されている。
【００２８】
このとき、実施形態１のバックライト装置においても、各光学シートやフレーム部材の熱膨張に伴う収縮及び組み立て時における作業性を考慮して、中フレームＭＦと拡散シートＤＦの端部との間等には所定の間隙（クリアランス）が形成されている。その結果、導光板ＬＧの照射面から出射される面状光の一部は拡散シートＤＦを通過することなく照射されてしまうこととなる。しかしながら、実施形態１のバックライト装置では、図３中の丸印Ｂの拡大図Ｂ’に示すように、突出部ＨＰの形成されない領域では、拡散シートＤＦは上プリズムシートＰＳ１及び下プリズムシートＰＳ２よりもＹ方向に大きく形成されており、上プリズムシートＰＳ１及び下プリズムシートＰＳ２の端面よりも拡散シートＤＦの端面が光源ＬＳの側に突出するように配置される。また、下プリズムシートＰＳ２は、後に詳述するように、Ｘ方向の端部を除く領域では、その端面位置が上プリズムシートＰＳ１の端面位置と同じとなるように形成されている。この構成により、図中に白抜きの矢印で示す導光板ＬＧ内に入射された光の内で、例えば、フレキシブル配線基板ＦＰＣとプリズムシートＰＳとの間の領域から出射した光が下プリズムシートＰＳ２にプリズム部分に直接に照射されることを防止することができる。従って、実施形態１のバックライト装置では、下プリズムシートＰＳ２のプリズム面での反射を抑制することが可能となるので、輝線の発生を防止できる。
【００２９】
図４は本発明の実施形態１のバックライト装置を構成する各光学シートを説明するための図であり、特に、図４（ａ）は遮光テープＯＳの形状を説明するための平面図、図４（ｂ）は上プリズムシートＰＳ１の形状を説明するための平面図、図４（ｃ）は下プリズムシートＰＳ２の形状を説明するための平面図、図４（ｄ）は拡散シートＤＦの形状を説明するための平面図である。ただし、図４（ａ）〜（ｄ）において、斜線で示す領域すなわち突出部ＴＢ１，ＨＰが遮光テープＯＳに固定される部分を示している。
【００３０】
図４（ａ）から明らかなように、遮光テープＯＳは図中の黒色部分が遮光層となっており、特に、実施形態１の遮光テープＯＳでは黒色で示す額縁状（枠体状）の領域が遮光テープＯＳの領域であり、内側領域には矩形形状の開口部ＯＰが形成される構成となっている。この構成により、導光板ＬＧから出射される面状光の内で、導光板ＬＧや光学シートの辺縁部からの出射される光を遮蔽する構成となっている。また、実施形態１の遮光テープＯＳでは、４つの辺部の内で図４（ａ）中の下端の辺部すなわち光源ＬＳが搭載される領域を覆う辺部の遮光領域は、その幅が他の３つの辺部の遮光領域よりも幅が大きく形成されている。この構成により、前述する図３に示すように、光源ＬＳも覆う構成としている。
【００３１】
実施形態１の上プリズムシートＰＳ１は、図４（ｂ）に示すように、その外形形状が矩形形状をなしており、特に、実施形態１の上プリズムシートＰＳ１は長辺方向の長さをＬ１、短辺方向の幅をＷ１とした場合、長辺側の端部から外側に突出する斜線で示す突出幅Ｗ４の突出部ＴＢ１が形成されている。この突出部ＴＢ１は、遮光テープＯＳの裏面側に上プリズムシートＰＳ１を固定する固定部となる。
【００３２】
また、実施形態１の下プリズムシートＰＳ２も、図４（ｃ）に示すように、その外形形状が矩形形状をなしており、上プリズムシートＰＳ１と同様に、長辺方向の長さをＬ２、短辺方向の幅をＷ２とした場合、Ｌ２＝Ｌ１，Ｗ２＝Ｗ１となる。また、下プリズムシートＰＳ２にも長辺側の端部から外側に突出する突出幅Ｗ５（Ｗ５＝Ｗ４）の突出部ＴＢ２が形成されている。さらには、実施形態１の下プリズムシートＰＳ２は、対向する短辺の内で、光源ＬＳの側となる端部には、外側に突出する突出長Ｌ４の２つの突出部ＨＰが各角部の近傍に形成されている。この２つの突出部ＨＰは、遮光テープＯＳの裏面側に下プリズムシートＰＳ２を固定する固定部としても使用される。ただし、実施形態１の構成では、遮光テープＯＳに形成される遮光領域の内で、少なくともバックライト装置の短辺方向（Ｘ方向）に延在する遮光領域と重なる領域内に、下プリズムシートＰＳ２の突起部ＨＰが形成される構成となっている。なお、実施形態１の突出部ＨＰの詳細については後に詳述する。
【００３３】
さらには、実施形態１の拡散シートＤＦは、図４（ｄ）に示すように、その外形形状が矩形形状となしており、実施形態１の上プリズムシートＰＳ１と同様に、長辺方向の長さをＬ３、短辺方向の幅をＷ３とした場合、Ｌ３＝Ｌ１，Ｗ３＝Ｗ１となる。また、拡散シートＤＦにも長辺側の端部から外側に突出する突出幅Ｗ６（Ｗ６＝Ｗ４）の突出部ＴＢ３が形成されている。さらには、実施形態１の拡散シートＤＦは、対向する短辺の内で、光源ＬＳの側となる短辺部には、外側に延在（突出）する延在長Ｌ５（Ｌ５＝Ｌ４）の延在部ＴＢ２が形成されている。このとき、実施形態１の延在部ＢＰ１は当該延在部ＢＰ１が形成される短辺側の角部を除く領域が延在し突出される構成となっている。また、実施形態１においては、突出部ＴＢ３及び延在部ＢＰ１は遮光テープＯＳには固定されない構成となる。
【００３４】
このように、本願発明のバックライト装置では、上プリズムシートＰＳ１と下プリズムシートＰＳ２との内で、出射されるバックライト光に対する影響がより大きい上プリズムシートＰＳ１を基準とし、この上プリズムシートＰＳ１に熱収縮に伴う反り（プリズムシート反り）が生じた場合であっても、その影響が小さい角部近傍の長辺部分に突起部ＴＢ１が形成される構成となっている。すなわち、上プリズムシートＰＳ１に形成されるプリズムの形成方向Ｓ１に対して交差角が大きくなる対角の近傍の内で長辺側に突起部ＴＢ１が形成され、該突起部ＴＢ１が遮光テープＯＳに固定される構成としている。この構成により、上プリズムシートＰＳ１に熱収縮に伴うプリズムシート反りが生じた場合であっても、突起部ＴＢ１を遮光テープＯＳに固定することに伴う上プリズムシートＰＳ１の拘束に起因する突起部ＴＢ１の近傍にしわ等が生じてしまうことを防止し、バックライト光に輝度ムラが生じてしまうことを抑制することを可能としている。
【００３５】
また、２枚のプリズムシートＰＳ１，ＰＳ２の内で、下プリズムシートＰＳ２の長辺部分にも、前述するように、上プリズムシートＰＳ１と同様にして突起部ＴＢ２が形成されている。さらには、光源ＬＳの側の短辺を共有する２つの角部の近傍にそれぞれに突起部ＨＰが形成される構成となっている。この２つの突起部ＴＢ２と突起部ＨＰとの内で、突起部ＨＰは遮光テープＯＳに貼り付け（固定）され、突起部ＴＢ２はいずれにも固定されない構成となっている。この構成により、下プリズムシートＰＳ２に熱収縮に伴うプリズムシート反りが生じた場合であっても、拘束に伴う突起部ＨＰの近傍に生じるしわを大幅に抑制すると共に、突起部ＴＢ２の近傍にしわが生じることを防止し、バックライト光に輝度ムラが生じてしまうことを抑制している。
【００３６】
さらには、上プリズムシートＰＳ１と下プリズムシートＰＳ２とが同一の遮光テープＯＳに固定されているので、振動が印加された場合であっても、この振動によって上プリズムシートＰＳ１と下プリズムシートＰＳ２との間にずれが生じることを防止できる。従って、液晶表示装置本体に振動が印加された場合であっても、振動等に伴う上プリズムシートＰＳ１と下プリズムシートＰＳ２との擦れに起因するシート削れが防止できる。特に、上プリズムシートＰＳ１のマット状に加工された裏面側に生じるシート削れを防止でき、シート削れに伴うバックライト光の輝度ムラを防止できる。
【００３７】
図５は本発明の実施形態１のバックライト装置における下プリズムシートの短辺側の詳細構成を説明するための図、図６は本発明の実施形態１のバックライト装置における下プリズムシートの突起部の形成手順を説明するための図である。以下、図５及び図６に基づいて、実施形態１の下プリズムシートＰＳ２に形成される突起部ＨＰについて詳細に説明する。
【００３８】
図５に示すように、実施形態１の下プリズムシートＰＳ２では、光源ＬＳが配置される側の短辺にのみ突起部ＨＰが形成されており、特に、下プリズムシートＰＳ２の長辺方向の辺縁部に沿って延在するように形成されることなく、短辺に沿って角部よりも内側に形成されている。すなわち、図５の丸印Ｃの拡大図Ｃ’に示すように、突起部ＨＰは下プリズムシートＰＳ２の長辺側すなわち角部から幅Ｗ８だけ短辺に沿ってその中心側にずれた位置に形成される。このとき、突起部ＨＰのＹ方向の長さ（突出量）Ｌ４は、前述するように、下プリズムシートＰＳ２の裏面側すなわち導光板ＬＧ側に配置される拡散シートＤＦの延在部ＢＰ１の延在長Ｌ５と略同じ長さとなる。一方、突出部ＨＰのＸ方向の幅（突出部幅）Ｗ７は、突出部ＨＰを遮光テープＯＳに固定するための十分な固着力を得られる突出部幅Ｗ７ならば、特に限定されることはない。
【００３９】
ただし、実施形態１の突出部ＨＰでは、その突出量Ｌ４が拡散シートＤＦの延在部ＢＰ１の延在長Ｌ５と同じ構成となっている。このために、突出部ＨＰが形成される領域では、突出部ＨＰの端部と拡散シートＤＦの延在部ＢＰ１の端部とが揃った構成となるので、突起部ＨＰの形成されない領域よりも端部から光が入射し、輝線を発生させる可能性が大きくなる。しかしながら、輝線が発生した場合であっても、輝線の発生位置が遮光テープＯＳの遮光領域内である場合には、発生した輝線は遮光テープＯＳの開口部ＯＰからバックライト光として照射されないこととなる。従って、実施形態１の下プリズムシートＰＳ２では、下プリズムシートＰＳ２の角部からの幅Ｗ８及び突起部幅Ｗ７を適宜選択することによって、遮光テープＯＳの遮光領域の内で、Ｙ方向に延在する遮光領域を光源ＬＳの側に延長した領域内に突起部ＨＰが形成される構成とすることが好適である。これにより、突起部ＨＰに端部から光が入射して輝線が生じた場合であっても、この輝線の発生位置は遮光テープＯＳで遮光される領域となる。その結果、実施形態１のバックライト装置から出射される面状のバックライト光への影響を防止でき、バックライト光の輝度ムラを防止できるという格別の効果を得ることができる。
【００４０】
また、実施形態１の構成では、突起部ＨＰは遮光テープＯＳの裏面に下プリズムシートＰＳ２を固定する固定部となるので、印加される振動に伴う下プリズムシートＰＳ２に生じるずれを防止する強度を有する必要がある。従って、実施形態１の下プリズムシートＰＳ２における突出部ＨＰの突出量Ｌ４及び突出部幅Ｗ７は、十分な強度を有することも必要となるので、その強度を勘案して適宜選択する。
【００４１】
なお、実施形態１の下プリズムシートＰＳ２では、突出部ＨＰの突出量Ｌ４については延在部ＢＰ１の延在長Ｌ５と略同じ長さとしたが、これに限定されることはない。例えば、実施形態１の構成では、一対の突出部ＨＰにより下プリズムシートＰＳ２を遮光テープＯＳの裏面側に固着する構成となっている。一方、突出部ＨＰを遮光テープＯＳの裏面画に固着する固着力は、粘着材の固着力と突出部ＨＰの面積とによって決定されることとなる。従って、突出量Ｌ４と突出部はＷ７とを適宜設定すると共に、適切な粘着部材を用いることによって、突出部ＨＰを遮光テープＯＳに固定するための十分な固着力を得ることができるので、突出部ＨＰの突出量Ｌ４を延在部ＢＰ１の延在長Ｌ５よりも小さい突出量とする構成であってもよい。突出量Ｌ４を延在長Ｌ５よりも小さく形成することにより、突出部ＨＰの端部から光が入射することを大幅に低減できるので、突出部ＨＰに起因する輝線の発生を防止できるからである。
【００４２】
前述する突起部ＨＰの形成においては、例えば、図６（ａ）に示すように、従来では遮光テープＯＳへ固定するための延在部ＢＰ２が形成されていた部分の内で、図６（ｂ）に斜線で示す部分（削除領域）ＢＰ３を削除して形成する。すなわち、延在部ＢＰ２が形成されていた部分の内で、突起部ＨＰとなる部分を残すようにして、残りの延在部を削除することにより、突出量Ｌ４及び突出部幅Ｗ７となる突起部ＨＰが形成される。
【００４３】
これに対して、図６（ａ）に示す従来の構成では、下プリズムシートＰＳ２の光源ＬＳの側の端部と、拡散シートＤＦの光源ＬＳの側の端部とがほぼ同じ突出量となる。このために、導光板ＬＧから出射された面状光が直接に下プリズムシートＰＳ２に入射されると共に、プリズム表面で反射されこととなる。このために、光源ＬＳの近傍では、直接に下プリズムシートＰＳ２の入射した光により、図１１に示すように、下プリズムシートＰＳ２のプリズム角度と同じ傾斜角の輝線ＬＬが生じてしまう。なお、従来の下プリズムシートＰＳ２のプリズム角度も図２（ｂ）に示す実施形態１のプリズム角度と同じ構成である。
【００４４】
図７は本発明の実施形態１のバックライト装置における光学シートの上面図であり、特に、上プリズムシートＰＳ１及び下プリズムシートＰＳ２並びに拡散シートＤＦが重ねて配置された場合の上面図である。
【００４５】
図７から明らかなように、実施形態１では、従来と同様に、上プリズムシートＰＳ１及び下プリズムシートＰＳ２並びに拡散シートＤＦのそれぞれの長辺の辺縁部に、突起部ＴＢ１〜３が形成される構成となっている。従って、図７に示すように、突起部ＴＢ１〜３が形成される部分では、上プリズムシートＰＳ１及び下プリズムシートＰＳ２並びに拡散シートＤＦの各突起部ＴＢ１〜３が重ねて配置されることとなる。このとき、実施形態１の上プリズムシートＰＳ１及び下プリズムシートＰＳ２並びに拡散シートＤＦでは、各突起部ＴＢ１〜３の形成位置が重ね合わせ順に、長辺方向の延在方向（短辺側）にずれて形成されている。従って、例えば遮光テープＯＳを配置する前の状態では、図７に示す丸印Ｃの拡大図である丸印Ｃ’に示すように、バックライト光の照射面側からみて上プリズムシートＰＳ１の突起部ＴＢ１から下プリズムシートＰＳ２及び拡散シートＤＦの突起部ＴＢ２，ＴＢ３の一部が露出されることとなる。その結果、上プリズムシートＰＳ１及び下プリズムシートＰＳ２並びに拡散シートＤＦ光学シートの有無と、その重ね合わせ順番の確認等の検査を容易に実施できるという効果を得ることができる。
【００４６】
図８は本発明の実施形態１の液晶表示装置の詳細構成を説明するための断面図であり、特に、図３に対応する液晶表示装置の断面図である。ただし、図８において、透明基板ＳＵＢ１，ＳＵＢ２の表面に配置される偏光板や液晶表示パネルＰＮＬに制御信号等を供給する信号線等は省略する。
【００４７】
図８に示すように、実施形態１の液晶表示装置は、図示しない液晶層を介して対向配置される一対の透明基板ＳＵＢ１，ＳＵＢ２からなる周知の液晶表示パネルＰＮＬと、該液晶表示パネルＰＮＬの裏面側に配置されるバックライト装置ＢＬＵとから構成されている。例えば、ＩＰＳ方式の液晶表示パネルＰＮＬを用いた場合には、一方の透明基板（第１基板）ＳＵＢ１には、外部から入力される制御信号に基づいて走査信号や映像信号を生成する駆動回路ＤＲが搭載される構成となっている。また、第１基板ＳＵＢ１には、走査信号が供給される複数の図示しない走査信号線と、映像信号が供給される複数の図示しない映像信号線とが交差するように形成され、走査信号線と映像信号線とで囲まれる領域が画素領域を形成し、この画素領域が表示領域内にマトリクス状に配置される構成となっている。各画素領域内には、スイッチング用の図示しない薄膜トランジスタを介して映像信号が入力される画素電極や映像信号の基準となる共通電極等が形成されている。
【００４８】
一方、他方の透明基板（第２基板）ＳＵＢ２には、画素領域毎にＲ（赤色），Ｇ（緑色），Ｂ（青色）の図示しないカラーフィルタが形成されており、ＲＧＢの画素でカラー表示用の単位画素を形成する構成となっている。
【００４９】
なお、実施形態１の液晶表示装置では、バックライト装置ＢＬＵと液晶表示パネルＰＮＬとは、遮光テープＯＳの上面側すなわち液晶表示パネルＰＮＬ側に塗布される粘着材により固定される。しかしながら、液晶表示パネルＰＮＬとバックライト装置ＢＬＵとの固定はこれに限定されることはない。例えば、下フレームＬＦに嵌合する枠体状のフレーム部材を上フレームとし、該上フレームとバックライト装置ＢＬＵとの間に液晶表示パネルＰＮＬを配置し、バックライト装置ＢＬに液晶表示パネルＰＮＬを固定する構成等であってもよい。
【００５０】
以上説明したように、実施形態１の液晶表示装置では、バックライト装置は、光源と、該光源からの光を面状光に変換する導光板ＬＧと、導光板ＬＧの照射面側に配置され、一方の面に複数のプリズムが並設されてなる少なくとも２枚のプリズムシートＰＳ１，ＰＳ２とを備え、この２枚のプリズムシートＰＳ１，ＰＳ２が重ねて配置される構成となっている。このとき、２枚のプリズムシートＰＳ１，ＰＳ２の内で、照射面側に配置される第１のプリズムシートである上プリズムシートＰＳ１は、プリズムの形成面がバックライト光の照射面側となるように配置されると共に、その裏面側がマット状に加工される構成となっている。また、第２のプリズムシートである下プリズムシートＰＳ２は、上プリズムシートＰＳ１の裏面側に配置されると共に、プリズムの形成面が上プリズムシートＰＳ１のマット加工される面と当接して配置されている。さらには、上プリズムシートＰＳ１はプリズムの形成方向と異なる対角の近傍に、外周方向に突出する第１の突起部となる突起部ＴＢ１を有し、この突起部ＴＢ１が遮光テープＯＳに固定される構成となっている。また、下プリズムシートＰＳ２は光源に近い辺の角部近傍に上プリズムシートＰＳ１よりも光源側（入光側）に突出する第２の突起部となる突起部ＨＰを有し、この突起部ＨＰが遮光テープＯＳに固定される構成となっている。
【００５１】
この構成からなるバックライト装置では、少なくとも光源が配置される辺においては、下プリズムシートＰＳ２の端部が上プリズムシートＰＳ１の端部よりも光源に近い側に突出してしまうことを防止できる。その結果、導光板ＬＧから出射された光が拡散シートＤＦを介すことなく直接に下プリズムシートＰＳ２に入射してしまうことを防止でき、光源の配置される辺部の近傍において、輝線と称される他の部分よりも輝度が高い線状の縞が生じてしまうことを防止することが可能となる。すなわち、バックライト光の輝度ムラを大幅に低減することができ、均一な面状のバックライト光を照射することが可能となる。
【００５２】
また、実施形態１のバックライト装置では、下プリズムシートＰＳ２に形成される突起部ＨＰが遮光テープＯＳに固定される構成となっている。また、上プリズムシートＰＳ１も遮光テープＯＳに固定される構成となっている。従って、液晶表示装置全体に振動が加わった場合であっても、上プリズムシートＰＳ１と下プリズムシートＰＳ２とが擦れ合うことによって生じるシート削れ等が防止できる。その結果、均一なバックライト光の照射には有利な裏面側がマット状に加工されたプリズムシートを用いた場合であっても、シート削れに伴う輝線の発生を防止できるので、さらに輝度ムラを低減させた均一なバックライト光の照射が可能となる。すなわち、液晶表示パネルＰＮＬの裏面側から照射するバックライト光の輝度ムラを大幅に抑制した均一なバックライト光を照射することができるので、実施形態１の液晶表示装置では均一な画像表示を行うことが可能となる。特に、表示ムラが顕著となる単色表示を行った場合であっても、均一な画像表示を実現できる。
【００５３】
〈実施形態２〉
図９は本発明の実施形態２の液晶表示装置におけるバックライト装置の詳細構成を説明するための断面図であり、実施形態１の図３に対応する図である。ただし、実施形態２の液晶表示装置では、バックライト装置を構成する拡散シートＤＦの構成及びこの拡散シートＤＦに近接して印刷される白印刷部ＷＰを除く他の構成は、実施形態１と同様の構成となる。従って、以下の説明では、拡散シートＤＦ及び白印刷部ＷＰについて詳細に説明する。
【００５４】
図９に示すように、実施形態２の液晶表示装置を構成するバックライト装置においても、光源ＬＳからの光を面状の光に変換し照射する導光板ＬＧを備える構成となっている。また、導光板ＬＧの照射面側には、順に拡散シートＤＦ、下プリズムシートＰＳ２、上プリズムシートＰＳ１、及び遮光テープＯＳが配置される構成となっている。ここで、実施形態２においては、導光板ＬＧの表面には白色の白印刷部ＷＰが印刷される構成となっている。このとき、図９中の丸印Ｅの拡大図Ｅ’に示すように、拡散シートＤＦの４辺の内で、少なくとも光源ＬＳに近い辺（短辺）に近接して白印刷部ＷＰが印刷される構成となっている。実施形態２の白印刷部ＷＰでは、導光板ＬＧの照射面に直接に白色の印刷を行い、この印刷された白印刷部ＷＰで導光板ＬＧからの直接に下プリズムシートＰＳ２に照射される光を防止する構成としている。特に、実施形態２においては、白色の白印刷部ＷＰを形成することによって、白印刷部ＷＰに照射される光をより多く導光板ＬＧに反射させることを可能としているので、光源ＬＳからの光の利用効率をさらに向上させることができるという格別の効果を得ることができる。その結果、実施形態２の液晶表示装置では、同一輝度における光源ＬＳの発光量を低減させることも可能となり、液晶表示装置の消費電力を低減できるという格別の効果を得ることができる。
【００５５】
また、実施形態２の拡散シートＤＦは、図９中の拡大図Ｅ’に示すように、下プリズムシートＰＳ２の突起部ＨＰが形成されない領域においては、下プリズムシートＰＳ２の端面と揃うように、拡散シートＤＦの本体部分から延在するように形成される延在部ＢＰ１を設けない構成となっている。すなわち、実施形態２のバックライト装置では、導光板ＬＧの上面に順番に配置される拡散シートＤＦ、下プリズムシートＰＳ２、及び上プリズムシートＰＳ１のそれぞれの端面が揃うように形成される構成となる。
【００５６】
このとき、実施形態２の構成においても、実施形態１と同様に、下プリズムシートＰＳ２の短辺部分には図示しない突起部ＨＰが形成され、この突起部ＨＰが遮光テープＯＳに固定（貼付）される構成となっている。従って、実施形態２の液晶表示装置においても実施形態１と同様の効果を得ることができる。すなわち、実施形態２の構成においても、振動に伴う上プリズムシートＰＳ１と下プリズムシートＰＳ２との擦れを防止でき、上プリズムシートＰＳ１のマット加工される裏面側のシート削れを防止することができる。
【００５７】
ただし、実施形態２における下プリズムシートＰＳ２においても、突起部ＨＰが形成される領域においては、白印刷部ＷＰと突起部ＨＰとが重畳するようにして、白印刷部ＷＰの照射面側に突起部ＨＰが配置されることとなる。このため、実施形態２における白印刷部ＷＰの厚さ（印刷厚さ）が拡散シートＤＦの厚さよりも大きい場合には、突起部ＨＰの形成される領域の近傍にのみ下プリズムシートＰＳ２と拡散シートＤＦとの間に隙間が生じてしまうこととなる。この場合、この隙間に起因するバックライト光の輝度ムラが生じてしまうことが懸念されるので、白印刷部ＷＰの印刷厚さは拡散シートＤＦのシート厚以下とすることが好ましい。
【００５８】
〈実施形態３〉
図１０は本発明の実施形態３の液晶表示装置におけるバックライト装置の詳細構成を説明するための断面図であり、実施形態１の図３に対応する図である。ただし、実施形態３の液晶表示装置は、拡散シートＤＦに形成される反射部材ＭＳを除く他の構成は、実施形態１と同様の構成となる。従って、以下の説明では、反射部材ＭＳについて詳細に説明する。
【００５９】
図１０に示すように、実施形態３の液晶表示装置を構成するバックライト装置においても、光源ＬＳからの光を面状の光に変換し照射する導光板ＬＧの照射面側に、順に拡散シートＤＦ、下プリズムシートＰＳ２、上プリズムシートＰＳ１、及び遮光テープＯＳが配置される構成となっている。このとき、実施形態３の構成においても、実施形態１と同様に、拡散シートＤＦの光源ＬＳの側の辺には延在部ＢＰ１が形成され、下プリズムシートＰＳ２の光源ＬＳの側の辺には図示しない突起部ＨＰが形成されている。この下プリズムシートＰＳ２の突起部ＨＰは上プリズムシートＰＳ１の長辺側に形成される図示しない突起部ＴＢ１と共に遮光テープＯＳに固定（貼付）されているので、実施形態３の液晶表示装置においても、実施形態１と同様の効果を得ることができる。
【００６０】
さらには、実施形態３のバックライト装置の構成では、図１０中の丸印Ｆの拡大図Ｆ’に示すように、拡散シートＤＦの本体部分から光源ＬＳが配置される方向に延在して形成される延在部ＢＰ１に、例えば周知の反射シートからなる反射部材ＭＳが配置（貼付）される構成となっている。実施形態３では、反射部材ＭＳは拡散シートＤＦに形成される延在部ＢＰ１の照射面側に貼り付けされており、この反射部材ＭＳが貼り付けされた拡散シートＤＦの上面に順に下プリズムシートＰＳ２、上プリズムシートＰＳ１、及び遮光テープＯＳを重ねて配置する構成となっている。この構成により、実施形態３の構成では、拡散シートＤＦに入射した光（面状光）の内で、拡散シートＤＦの延在部ＢＰ１に入射された光は照射面側に配置される反射部材ＭＳで導光板ＬＧ側に反射されることとなる。従って、直接に下プリズムシートＰＳ２の端面側（側面側）から入射される光を防止できるので、輝線の発生を防止できる。さらには、反射部材ＭＳに照射される光を効率よく導光板ＬＧに戻すことが可能となるので、光源ＬＳからの光の利用効率をさらに向上させることができるという格別の効果を得ることができる。その結果、実施形態３の液晶表示装置においても、同一輝度における光源ＬＳの発光量を低減させることが可能となるので、実施形態２の液晶表示装置と同様に，液晶表示装置の消費電力を低減できるという格別の効果を得ることも可能である。
【００６１】
なお、実施形態３においては、拡散シートＤＦの延在部ＢＰ１に反射部材ＭＳを配置する構成としたが、これに限定されることはない。例えば、実施形態２と同様に、延在部ＢＰ１が形成されない拡散シートＤＦを用いて、実施形態２の白印刷部ＷＰが印刷される領域に実施形態３の反射部材ＭＳを貼り付けする構成であってもよい。
【００６２】
以上、本発明者によってなされた発明を、前記発明の実施形態に基づき具体的に説明したが、本発明は、前記発明の実施形態に限定されるものではなく、その要旨を逸脱しない範囲において種々変更可能である。
【符号の説明】
【００６３】
ＢＬＵ……バックライト装置、ＬＦ……下フレーム、ＦＰＣ……フレキシブル配線基板
ＯＳ……遮光テープ、ＰＳ１……上プリズムシート、ＰＳ２……下プリズムシート
ＯＰ……開口部、ＴＢ，ＴＢ１〜３……突起部、ＨＰ……突起部、ＰＲＺ……プリズム
ＤＦ……拡散シート、ＬＧ……導光板、ＬＳ……光源、ＭＦ……中フレーム
ＳＵＢ１……第１基板、ＳＵＢ２……第２基板、ＲＳ……反射シート、ＦＴ……粘着材
ＢＰ１……拡散シートの延在部、ＢＰ２……下プリズムシートの延在部
ＢＰ３……削除領域、ＷＰ……白印刷部、ＭＳ……反射部材
【図１】
2014002254.tif 000003
【図２】
2014002254.tif 000004
【図３】
2014002254.tif 000005
【図４】
2014002254.tif 000006
【図５】
2014002254.tif 000007
【図６】
2014002254.tif 000008
【図７】
2014002254.tif 000009
【図８】
2014002254.tif 000010
【図９】
2014002254.tif 000011
【図１０】
2014002254.tif 000012
【図１１】
2014002254.tif 000013